(57)【特許請求の範囲】
【請求項１】
セグメントに突出して固着された雄金物を別のセグメントに形成した凹部に押し込んでセグメント間を接合する前記雄金物を有するセグメントにおいて、
雄金物内部を充填材で充填すると共に、セグメント本体部から雄金物の突出部分内部に渡ってアンカーボルトを埋設してなることを特徴とするセグメント。
【発明の詳細な説明】
【０００１】
【発明の属する技術分野】
本発明はシールド工法によりトンネルを構築する際に使用するコンクリート製のセグメント（セグメントピース）に係わり、特に、セグメントに突出して固着された雄金物を別のセグメントに形成した凹部に押し込んでセグメント間を接合する前記雄金物を有するセグメントに関する。
【０００２】
【従来の技術】
シールド工法では、外殻（シールド）でトンネル前面の土砂を防護しながら掘削すると同時に外殻を前方に押出し、これと並行して外殻内の後方でセグメントをリング状に組み立て、該リング状セグメントをトンネル軸方向に順次連続的に建て込むことによりトンネル内壁（ライニング）を形成する。外殻を押し出すには、数百トンから数千トンという大きな力がいるが、セグメントがその反力受けとなり、ジャッキで外殻を前方に送り出す。
【０００３】
図５は構築中のシールドトンネルの一部破断斜視図であり、１はシールド機、１ａは円筒状鋼製の外殻、１ｂは掘削機のカッタヘッド、２は地盤、３はセグメントリング、３ａはセグメント、４はシールドジャッキである。構築中のトンネルの先頭位置にはシールド機１が配置しており、シールド機は筒状に形成された外殼１ａを有している。外殼１ａの前部には地盤２を堀進するためのカッタヘッド１ｂがあり、外殼１ａの後部内周には複数のシールドジャッキ４が装着されている。それぞれのジャッキは選択的にセグメントの最前端に反力を求めることができる形で装着されている。外殼１ａ内の後部空間８にはセグメント組立て用のエレクタ（図示せず）が、セグメントを搬送装置（図示せず）から受け取ってこれを把持し、回転位置決め自在な形で設けられている。シールド外殼１ａの後ろ側にはセグメント３ａからなるトンネルが、筒状に構築形成されている。シールドトンネルは、それぞれが弧状に形成されたセグメント３ａを周方向に接続してセグメントリング３を形成し、該セグメントリング３をシールド機１の堀進に伴ってトンネル軸方向に既に建て込んであるセグメントリングに継ぎ足すことにより構成される。
【０００４】
すなわち、所定幅をなす弧状のセグメント（セグメントピース）３ａをリング状に組み立てゝ１つのセグメントリング３を形成するもので、シールド堀進が１リング分進む毎に、既に建て込んだセグメントリングのトンネル進行方向に新たなセグメントリングを継ぎ足していく形で、セグメントの建て込み行う。従って、シールド機の外殻１ａは、最新のセグメントリングの前端に反力を求める形で前進し、シールド機１が前進した分だけ、その後ろにセグメントリングからなるトンネルが構築されていく。
【０００５】
セグメント３ａは材質から、コンクリート製のセグメント、鋼セグメント、鋼コンクリート合成セグメントなどがある。セグメントとしてコンクリート製のセグメントを使用する場合、隣接するセグメント同士を締結するには、従来、ボルトボックスといわれる箱状の窪み及び接合用のボルト穴をセグメントに設けておき、これらを利用してボルト締結を行うセグメント継手が一般的であった（特開平10-153095号）。しかし、ボルト締結は作業が面倒となる問題があり、そこで、最近ではセグメント組立ての機械化を図るために、既に建て込まれたセグメントに新たなセグメントを押し当てるだけで締結出来るワンタッチ式の継手金物が各種開発されている。
【０００６】
図６は従来のワンタッチ式セグメント継手部の断面拡大図であり、３ａ1，３ａ2は隣接するセグメントリングを構成するセグメントである。この従来のワンタッチ式の継手金物は、接合すべきセグメントの一方のセグメント３ａ1側に雄金物５を突出固着し、他方のセグメント３ａ2側に雌金物６を凹部７を形成するようにセグメント３ａ2のコンクリートに埋め込む形で取り付け、機械による押し込み力で雄雌の金物５，６を締結させるものである。このため、雌金物６に対する雄金物５の接合面には平滑性と密着力及び、摩擦が生じても損傷しない耐食性が要求され、雄金物５の表面に粉体塗装が施される。粉体塗装の例として、熱硬化型ポリエステルウレタン樹脂系の粉体塗料を静電塗装機や吹付ガンなどで塗装し、焼き付け乾燥させ、必要に応じて上塗塗装を施すものが知られている。
【０００７】
【発明が解決しようとする課題】
しかし、粉体塗装を施すとコンクリートに対する付着製が悪くなるため、雄金物５のコンクリートセグメント３ａ1に対する引き抜き強度が低下し、継手部分そのものの強度に影響するという問題が生じる。
以上から本発明の目的は、表面に粉体塗装を施すワンタッチ式の継手金物を用いる場合において、継手部分の高強度を確保できるセグメントを提供することである。
【０００８】
【課題を解決するための手段】
上記課題は本発明によれば、セグメントに突出して固着された雄金物を別のセグメントに形成した凹部に押し込んでセグメント間を接合する前記雄金物を有するセグメントにおいて、雄金物内部を所定の充填材たとえばセメンとモルタルで充填すると共に、セグメント本体部から雄金物の突出部分内部に渡ってアンカーボルトを埋設してなるセグメントにより達成される。
雄金物の表面には粉体塗装が施されているので、そのコンクリートに埋め込まれた部分はコンクリートに対する付着性が悪くなるが、アンカーボルトによって、十分な密着強度が確保される。また、アンカーボルトは雄金物内のコンクリートに差し込まれた補強鉄筋として機能する形となるため、継手部の強度、及びセグメント本体と雄金物との一体性（即ち継手強度）を向上できる。
【０００９】
【発明の実施の形態】
図１はワンタッチ式の継手部を備えたセグメントの接合方法の説明図、図２は本発明のセグメントの断面図である。
図１に示すように、各セグメント３ａ1，３ａ2のトンネル軸方向及びトンネル周方向の４つの側面（継ぎ手面）１１1〜１１4には継手部が形成される。このうち、周方向に隣接するセグメントの継手部には公知のクイックジョイントが設けられるが、本発明と関係がないため図示及び説明を省略する。トンネル軸方向に隣接するセグメント３ａ1，３ａ2の継手部にはワンタッチ式のリング間継手が用いられる。すなわち、セグメント３ａ1，３ａ2の継ぎ手面１１1，１１2に複数（図では３組）のワンタッチ式の継手部が設けられており、一方のセグメント３ａ1の継手部における雄部１２1〜１２3を他方のセグメント３ａ2の継手部における雌部１３1〜１３3に圧着締結させることにより両者は接合する。
【００１０】
図２に示すように、本実施例で用いられるセグメント（セグメントピース）３ａ1，３ａ2は弧状に形成されたコンクリート製のセグメント本体１５を有しており、このセグメント本体１５のトンネル軸方向の一方の継手面１１2に雄部１２1〜１２3が、他方の継ぎ手面１１1には雌部１３1〜１３3が形成されている。つまり、１ケのセグメントのトンネル軸方向両端面には３箇所の雄部１２1〜１２3と３箇所の雌部１３1〜１３3が設けられている。尚、雄部、雌部の配設箇所数は３箇所に限らず、２箇所であっても良い。
【００１１】
雄部１２1には図３（ｂ）に示すようにその外面に粉体塗装Ａが施された雄金物１６が、その半分をセグメント３ａ1の本体部分をなすコンクリート中に埋め込まれ、残り半分を突出させた形で設けられている。雄金物１６の内部にはセメントモルタルが、セグメント本体のコンクリートと一体をなす形で充填されている。又、雄金物１６の内部端部からセグメント本体内に渡って全ネジ鉄筋、異形鉄筋等からなるアンカー棒（アンカーボルト）１９が埋設された形で設けられている。アンカーボルト１９は雄金物の略倍の長さを備え、雄金物１６の内部に埋設されている長さとセグメント本体内に埋設されている長さは略等しくなっている。
【００１２】
雌部１３1には、図３（ａ）に示すように、外周にポリエチレンフォーム２０が被覆された雌金物１７がセグメント端部から突出しないようコンクリート中に埋め込まれた形で設けられており、雌金物の内部にはコンクリートが非充填であることによる凹部１８が設けられている。凹部１８の長さＬ１は雄金物１７の突出した長さＬ２より若干大きく形成されており、又、雌金物１７の内径Ｄ１は雄金物１６の外形Ｄ２より僅かに小さく形成されている。実施例では図３に示すようにＤ１＝44mm、Ｄ２＝45mmである。セグメントの建て込みに際して、既に建て込まれたセグメント３ａ2の雌金物１７に新たなセグメント３ａ1の雄金物１６を、シールドジャッキの押し込み力を利用して圧入させる形で両者を締結する。このリング間継手の雄金物１６と雌金物１７の係合に際して、双方の位置及び軸心の向きに若干のずれが発生するが、ポリエチレンフォーム２０が該ずれを吸収する。このため、  セグメント本体１５のコンクリートを破壊することなく両者が正しく締結する。また、雄金物１６の外面には粉体塗装が施されているので、雌金物１７の接合面に対し円滑に嵌合し、両者が緊密に密着する。そして、雄雌金物の圧着締結による摩擦が生じても金属表面の耐食性は確保される。
【００１３】
本発明のセグメントを製造するには、図４の▲１▼に示すように、まず、雄金物１６の外側表面に粉体塗装Ａを施す。粉体塗装は静電塗装機等により雄金物１６の外側表面に満遍なく塗装してよく、非塗装部を確保する必要はない。次に▲２▼に示すように雄金物内部に適度のセメントモルタル２１を充填しておいて、アンカー棒１９を挿入して養生する。アンカー棒としては、異形棒鋼、全ネジ棒鋼等の表面凹凸があるものが好ましい。また、長さは、雄金物１６の２倍程度が好ましい。こうして▲３▼の状態にしたアンカー棒付き雄金物を、雌金物、及びトンネル周方向の継手面に埋設する公知のクイックジョイントと共に、セグメント形成用型枠２２の所定位置に仮固定して、所定配合のコンクリートを打設充填する。
【００１４】
上記のようにセグメントを製造することにより、セグメント本体１５のコンクリート打設に際して既に雄金物１６の内部にはコンクリートが入っているので、雄金物内部にエアが残ってしまうことはなく、セグメントを構成するすべての部分にコンクリートが密実充填できる。従って継手部を含めたセグメント全体の高強度が保証される。また、雄金物１６の表面には粉体塗装Ａが施されているので、そのコンクリートに埋め込まれた部分はコンクリートに対する付着性が悪くなるが、アンカー棒１９によって、十分な密着強度が確保できる。また、アンカー棒１９は雄金物内のコンクリートに差し込まれた補強鉄筋として機能する形となるため、継手部の強度、及びセグメント本体１５と雄金物１６との一体性（即ち継手強度）も向上する。
以上、本発明を実施例により説明したが、本発明は請求の範囲に記載した本発明の主旨に従い種々の変形が可能であり、本発明はこれらを排除するものではない。
【００１５】
【発明の効果】
以上本発明によれば、雄金物内部を所定の充填材たとえばセメントモルタルで充填し、セグメント本体部から雄金物の突出部分内部に渡ってアンカーボルトを埋設してセグメントを構成したから、表面に粉体塗装を施した雄金物のコンクリートに対する付着性が悪くなっても、アンカーボルトによって、十分な密着強度が確保できる。また、アンカーボルトは雄金物内のコンクリートに差し込まれた補強鉄筋として機能する形となるため、継手部の強度、及びセグメント本体と雄金物との一体性（即ち継手強度）を向上できる。
【図面の簡単な説明】
【図１】ワンタッチ継手を備えたセグメントの接合方法の説明図である。
【図２】本発明のセグメントの断面図である。
【図３】本発明に用いるリング間継手の雄金物及び雌金物の一部破断外観図である。
【図４】本発明のセグメントの製造方法説明図である。
【図５】構築中のシールドトンネルの一部破断斜視図である。
【図６】従来のセグメント継手部の拡大断面図である。
【符号の説明】
３ａ1，３ａ2・・セグメント（セグメントピース）
１５・・セグメント本体
１２1〜１２3・・雄部
１３1〜１３3・・雌部
１６・・雄金物
１７・・雌金物
１８・・凹部
１９・・アンカーボルト
２０・・ポリエチレンフォーム
【図１】
0004067244.tif 000002
【図２】
0004067244.tif 000003
【図３】
0004067244.tif 000004
【図４】
0004067244.tif 000005
【図５】
0004067244.tif 000006
【図６】
0004067244.tif 000007